(57)【要約】【課題】  画像読取装置の底面の中央部分の強度が不足し、原稿の読取精度が低下する虞がある。【解決手段】  前面側フレーム４０１と背面側フレーム４０２を連結する橋架部材４０４を屈曲させて橋架部材４０４の一部によって画像読取装置２１の底面５０４を支持する枠体構造を備える画像形成装置。【選択図】  図４
2020024330.tif 000002
【特許請求の範囲】
【請求項１】
原稿を読み取る画像読取装置と、前記画像読取装置に読み取られた画像をシートに形成する画像形成部と、鉛直方向において前記画像読取装置と前記画像形成部との間に前記シートの排紙空間が形成されるように、前記画像形成部よりも鉛直方向上側に前記画像読取装置が配置された画像形成装置において、
前記画像形成部は、
板金を含み、シートの搬送経路よりも画像形成装置の前面側に配置され、前記画像読取装置を支持する前面側フレームと、
板金を含み、前記搬送経路よりも画像形成装置の背面側に配置され、前記画像読取装置を支持する背面側フレームと、
前記前面側フレームと前記背面側フレームとに架け渡された板金である橋架部材であって、当該橋架部材の長手方向の一端側において前記前面側フレームに固定され、他端側において前記背面側フレームに固定された橋架部材と、を備え、
前記橋架部材は、前記長手方向において前記前面側フレームおよび前記背面側フレームに対する固定部の間に当該固定部よりも前記画像読取装置が配置された側に突出した支持面が形成されるように屈曲しており、
前記画像読取装置の底面は前記支持面によって支持されていることを特徴とする画像形成装置。
【請求項２】
前記橋架部材は、前記長手方向に沿って絞り加工された絞り部を備えることを特徴とする請求項１に記載の画像形成装置。
【請求項３】
前記絞り部は前記橋架部の屈曲した部分を跨いで形成されていることを特徴とする請求項２に記載の画像形成装置。
【請求項４】
前記橋架部材は、厚み方向と前記長手方向とに垂直な方向において、少なくとも一端側が前記支持面に対して曲げられた曲げ部を備えることを特徴とする請求項１乃至３何れか１項に記載の画像形成装置。
【請求項５】
前記曲げ部は、前記橋架部の屈曲した部分を跨いで形成されていることを特徴とする請求項４に記載の画像形成装置。
【請求項６】
前記支持面には前記読取装置の底面に接触する樹脂部材が取り付けられており、当該樹脂部材によって前記読取装置の底面が支持されていることを特徴とする請求項１乃至５何れか１項に記載の画像形成装置。
【請求項７】
前記画像読取装置の底面が板金で形成されており、
前記樹脂部材には、前記画像読取装置を接地させるために前記画像読取装置と前記橋架部材とに接触する金属部材が取り付けられていることを特徴とする請求項６に記載の画像形成装置。
【発明の詳細な説明】
【技術分野】
【０００１】
本発明は、プリンタ、複写機、ファクシミリ装置、及びそれらの機能を併せ持つ複合機等の画像形成装置に関する。
【背景技術】
【０００２】
従来、画像形成を行う画像形成部と画像読取部との間にシートを排出する。胴内排紙部を設けた画像形成装置が知られている。このような画像形成装置は、画像形成部の下方にシートを収容する給紙カセットが配置されている。画像形成装置には給紙カセットから画像形成装置の幅方向の一方側にシート搬送経路が設けられており、シートを鉛直方向上側に搬送することによってシートに画像を形成する。そして、画像形成が完了したシートは胴内排紙部に排出される。そして、これらの画像形成動作を制御するための各種制御基板が画像形成装置の背面部に設けられている。画像形成装置の枠体の一部は板金で構成されているが、板金の枠体構造として画像形成装置の幅方向における搬送経路が設けられた側や制御基板を支持するために背面側は強度の高い設計がなされている。従来、画像読取部は、搬送経路が設けられた側の板金構造、および制御基板を支持するための背面側の板金構造の上に載置されていた。
【０００３】
このような読取装置の支持構造において、排紙空間の視認性を良好にし、排紙部から記録紙を取り出しやすくするために、画像形成装置の幅方向における搬送経路が設けられた側とは反対側、かつ画像形成装置の手前側には板金構造が設けられていない装置が多い。そのため、搬送経路が設けられた側とは反対側、かつ画像形成装置の手前側における画像読取装置の支持強度が相対的に弱くなることによって画像形成装置が自重によって変形してしまうことが課題として挙げられる。
【０００４】
このような課題に対して、特許文献１は、上記の構造を画像形成装置において、画像読取装置の強度が弱い部分を補強するための補強フレーム（符号４０）を設けた画像形成装置を開示している。このように、従来から画像読取装置の変形を抑制するための支持構造に関して種々の提案がなされている。
【先行技術文献】
【特許文献】
【０００５】
【特許文献１】特開２００７−２２５０８４号公報
【発明の概要】
【発明が解決しようとする課題】
【０００６】
特許文献１の枠体構造は、補強フレームを設けることによって画像読取装置の側壁部分の強度が向上するが、画像読取装置の底面の中央部分の強度を向上させることができない。すなわち、特許文献１の枠体構造は、画像読取部の底面が自重や装置稼働時の熱変形によりすり鉢状に変形することを抑制することができない。
【課題を解決するための手段】
【０００７】
本発明は上記課題を鑑みてなされたもので、本発明の画像形成装置は、原稿を読み取る画像読取装置と、前記画像読取装置に読み取られた画像をシートに形成する画像形成部と、鉛直方向において前記画像読取装置と前記画像形成部との間に前記シートの排紙空間が形成されるように、前記画像形成部の上部に前記画像読取装置が配置された画像形成装置において、前記画像形成部は、板金を含み、シートの搬送経路よりも画像形成装置の面前側に配置され、前記画像読取装置を支持する前面側フレームと、板金を含み、前記搬送経路よりも画像形成装置の背面側に配置され、前記画像読取装置を支持する背面側フレームと、前記前面側フレームと前記背面側フレームとに架け渡された板金である橋架部材であって、当該橋架部材の長手方向の一端側において前記前面側フレームに固定され、他端側において前記背面側フレームに固定された橋架部材と、を備え、前記橋架部材は、前記長手方向において前記前面側フレームおよび前記背面側フレームに対する固定部分の間に当該固定部分よりも前記画像読取装置が配置された側に突出した支持面が形成されるように屈曲しており、
前記画像読取装置の底面は前記支持面によって支持されていることを特徴とする。
【発明の効果】
【０００８】
本発明によれば、画像形成部の上側に載置された画像読取部の底面の変形を抑制することができる。
【図面の簡単な説明】
【０００９】
【図１】画像形成装置の概略斜視図
【図２】画像形成装置のエンジン部の断面図
【図３】画像読取装置の断面図
【図４】エンジン部の枠体構造と画像読取装置の関係を示す概略斜視図
【図５】リーダユニットの裏面を示す図
【図６】橋架部材の斜視図
【図７】支持部材が取り付けられた橋架部材を示す斜視図
【図８】エンジン部の枠体構造、画像読取装置、およびケーブルの這回し経路の関係を示す概略斜視図
【図９】エンジン部の枠体構造、画像読取装置、およびケーブルの這回し経路の関係を示す概略断面図
【発明を実施するための形態】
【００１０】
（実施例）
実施例として、電子写真方式の画像形成装置（複写機）に適用して具体的に説明する。なお、しかしながら、本発明の構成は電子写真方式の画像形成装置に限定されるものではなく、例えば、インクジェット方式の画像形成装置に適用されても良い。
【００１１】
本実施例に係る画像形成装置は、イエローＹ、マゼンダＭ、シアンＣ、ブラックＫの４色のトナーを中間転写ベルトに転写した後、シートに画像を転写して画像を形成する電子写真方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１２】
図１は、画像形成装置Ａの斜視概略図である。図２は、画像形成装置Ａの断面概略図である。なお、図２は、後述する画像読取装置２１と操作表示部６１を省略した図となっている。
【００１３】
図１および図２に示す画像形成装置Ａは、原稿の画像を読み取る画像読取装置２１と画像読取装置２１が画像を読み取ることによって生成された画像データ、あるいは外部情報装置から送信された画像データに基づいて画像を形成するエンジン部１０を備える。エンジン部１０は、図２に示すシートにトナー像を転写して画像を形成する画像形成部５０と、画像形成部５０に向けてシートを供給するシート給送部５１と、シートにトナー像を定着させる定着部である定着装置１５を備える。また、エンジン部５０は、画像形成部５０の鉛直方向下側に給紙カセット８１を備える。また、エンジン部１０の鉛直方向上側に画像読取装置２１が配置されており、後述するように画像読取装置２１はエンジン部１０に支持されている。
【００１４】
画像形成部５０は、プロセスカートリッジ４（４Ｙ、４Ｍ、４Ｃ、４Ｋ）、一次転写ローラ５（５Ｙ、５Ｍ、５Ｃ、５Ｋ）、レーザスキャナユニット８、中間転写ユニット７を備える。プロセスカートリッジ４は、感光体ドラム１（１Ｙ、１Ｍ、１Ｃ、１Ｋ）、感光体ドラム１表面を帯電させる帯電ローラ２（２Ｙ、２Ｍ、２Ｃ、２Ｋ）、現像装置３（３Ｙ、３Ｍ、３Ｃ、３Ｋ）を備える。
【００１５】
中間転写ユニット７は、中間転写ベルト６、二次転写ローラ９、二次転写対向ローラ１２、アイドラローラ１９、テンションローラ１８などを備える。中間転写ベルト６は、二次転写対向ローラ１２、アイドラローラ１９、テンションローラ１８に張架された無端状のベルトであり、二次転写対向ローラ１２が駆動源の駆動力により回転し、その回転に従動して周回移動する。
【００１６】
画像読取装置２１は、フラットベッドスキャナ２２と自動原稿給送装置２３を備える。フラットベッドスキャナ２２は、不図示のプラテンに載置された原稿の画像を光学的に読み取って画像データに変換する。自動原稿給送装置２３は、原稿トレイ２４に積載された原稿を自動的に搬送して画像を読み取る。自動原稿給送装置２３は、回動自在に支持されており、自動原稿給送装置２３を回動させて上方に開放することで不図示のプラテンにアクセス可能となる。
【００１７】
また、画像形成装置Ａの装置本体２０の前面２０ｂには、情報を表示する表示部６１ａと、画像形成枚数等の画像形成に関する設定を行う操作部６１ｂを備える操作表示部６１が設けられている。操作表示部６１は、照明の反射やユーザの身長差等に対応して視認性を確保するために、画像形成装置Ａの装置本体に対して回動可能に支持されている。なお、画像形成装置Ａを正面から見たとき、操作表示部６１は右側に配置され、画像が形成されたシートＳを排出する排出部１７は左側に配置される。
【００１８】
次に、画像形成動作について説明する。まず不図示の制御部が画像形成ジョブ信号を受信すると、給送ローラ１１、搬送ローラ１３、レジストローラ１４によって給紙カセット８１に積載収納されたシートＳが、二次転写ローラ９と二次転写対向ローラ１２から形成される二次転写部に送り込まれる。なお、給紙カセット８１は、把手部２５を把持して押し引きすることで画像形成装置Ａ本体に着脱可能に構成されている。
【００１９】
画像形成部５０においては、まず帯電ローラ２により感光体ドラム１表面が一様に帯電させられる。その後、不図示の外部機器等から送信された画像データに応じて露光部であるレーザスキャナユニット８が各色の感光体ドラム１表面に不図示の光源からレーザ光を照射し、感光体ドラム１表面に静電潜像を形成する。
【００２０】
その後、現像装置３により感光体ドラム１表面に形成された静電潜像に各色のトナーを付着させ、感光体ドラム１表面にトナー像を形成する。感光体ドラム１表面に形成されたトナー像は、一次転写ローラ５にバイアスが印加されることで、中間転写ベルト６にそれぞれ一次転写される。これにより中間転写ベルト６表面にフルカラーのトナー像が形成される。
【００２１】
その後、中間転写ベルト６が周回移動することでトナー像が二次転写部に送られる。そして二次転写部において二次転写ローラ９にバイアスが印加されることで、中間転写ベルト６上のトナー像がシートＳに転写される。
【００２２】
次に、トナー像が転写されたシートＳは、定着装置１５において加熱、加圧処理が施され、これによりシートＳ上のトナー像がシートＳに定着される。その後、トナー像が定着されたシートＳは、排出ローラ１６によって排出部１７に排出される。
【００２３】
図１に示すように、画像形成装置Ａは、給紙カセット８１に収容されたシートを給紙カセット８１よりも鉛直方向上側に位置する二次転写部に搬送し、さらに二次転写部よりも円力方向上側に配置される定着装置１５に搬送する所謂縦パスの搬送経路を有する。
【００２４】
（画像読取装置）
次に画像読取装置２１について説明する。図３は、画像読取装置２１の概略断面図である。図２に示す画像読取装置２１は、リーダユニット２２、ＡＤＦ２３、原稿トレイ１０４、幅規制板１０５、ピックアップローラ１０６、分離パッド１０７、１０８、第１レジストローラ１０９、第２レジストローラ１１０を含んで構成される。画像読取装置２１は、また、第１搬送ローラ１１１、第２搬送ローラ１１２、第３搬送ローラ１１３、白色ガイド板１１４、第４搬送ローラ１１５、排紙ローラ１１６、排紙トレイ１１７を有する。画像読取装置２１は、また、読取ガラス１１８、光源１１９、１２０、ミラー１２１、１２２、１２３、結像レンズ１２４、ラインセンサ１２５、信号処理基板１２６を有する。キャリッジ１２７は、光源１１９、１２０、ミラー１２１、１２２、１２３、結像レンズ１２４、ラインセンサ１２５、信号処理基板１２６を一体的に保持する。キャリッジ１２７にはさらにモータ１２７が取り付けられており、原稿台１１８に載置された原稿を読み取る際、モータドライバ１３０がモータ１２７を動作させることによってキャリッジ１２７がガイドレール１２８に沿って移動する。
【００２５】
図３に示すように、原稿１０３は、原稿トレイ１０４に載置される。幅規制板１０５は、原稿１０３の斜め搬送を抑制する。原稿トレイ１０４に載置された原稿束は、読み取りの開始を契機にピックアップローラ１０６により分離部へ配送される。分離部では、分離パッド１０７と分離ローラ１０８により、原稿束の最上紙から一枚ずつ分離を行う。
【００２６】
分離された一枚の原稿は、第１レジストローラ１０９により斜め搬送が修正され、その後、第２レジストローラ１１０、第１搬送ローラ１１１、第２搬送ローラ１１２、第３搬送ローラ１１３へと搬送される。第３搬送ローラ１１３を通過後、原稿１０３は第４搬送ローラ１１５、排紙ローラ１１６によって搬送され、排紙トレイ１１７に排紙される。原稿トレイ１０４から排紙トレイ１１７に至るまでの経路が、原稿１０３の搬送経路を構成する。原稿１０３はこの搬送経路に沿って搬送される。また、各ローラは、原稿１０３を搬送するための搬送手段として機能する。
【００２７】
原稿１０３が第２搬送ローラ１１２と第３搬送ローラ１１３の間に設定される読取位置上を通過する際に、光源１１９、１２０により原稿１０３の表面に光が照射される。そして、その原稿１０３からの反射光は、ミラー１２１、１２２、１２３により結像レンズ１２４へと導かれる。白色ガイド板（背景板とも称す）１１４は、原稿１０３の搬送路をはさみ、読取位置と対向する位置に配置される。白色ガイド板１１４は、読取位置において原稿１０３が読取ガラス１１８から離れて浮いてしまわないように当該原稿１０３を押さえる。また、白色ガイド板１１４は、原稿１０３が読取位置上に存在しないタイミングでその表面が光学的に読み取られる。読み取って得た画像データ（背景画像）は、読取位置にゴミ等の異物が付着しているか否かの判定に用いられる。
【００２８】
反射光は、結像レンズ１２４によって収束され、ＣＣＤ（Ｃｈａｒｇｅ  Ｃｏｕｐｌｅｄ  Ｄｅｖｉｃｅ）などの撮像素子をライン上に配置したラインセンサ１２５に結像される。結像された光信号は、ラインセンサ１２５により電気信号に変換され、信号処理基板１２６によってデジタル信号に変換される。このようにして画像データが得られる。光源１１９、１２０、ミラー１２１、１２２、１２３、結像レンズ１２４、ラインセンサ１２５および信号処理基板１２６を含む構成は、画像取得手段として機能する。画像取得手段は、読取位置において原稿１０３の画像を原稿画像として取得する。また、画像取得手段は、読取位置において白色ガイド板１１４の画像データを背景画像として取得する。
【００２９】
本実施例において、画像読取装置２１の底面１３０は板金で形成されている。リーダユニット２２は箱型の板金フレームを備え、板金は樹脂部材によって外装されている。底面１３０は箱型の板金の側壁に連続する底面である。底面１３０は、リーダユニット２２に含まれる各部材を板金１３０に直接的、あるいは部材を介して間接的に支持する。例えば、板金１３０がリーダユニット２２に含まれる各部材の重さによってすり鉢状に変形すると、キャリッジ１２７の位置が変動したり、ガイドレール１２８が傾いたりするため、画像読取の精度が低下してしまう。このような画像読取装置２１の底面の変形を抑制するための構成について以下において説明をする。
【００３０】
図４は、本実施例におけるエンジン部１０が備える枠体構造と、画像読取装置２１との関係を示す概略斜視図である。図４に示すように、エンジン部１０は、枠体構造として前面側フレーム４０１、背面側フレーム４０２、ステー４０３、橋架部材４０４、第１支持部４０５、第２支持部４０６、第３支持部４０７を備える。本実施例における前面側フレーム４０１、背面側フレーム４０２、橋架部材４０４、ステー４０３は板金であるが、一部に樹脂を含んでいても良い。第１支持部４０５、第２支持部４０６、第３支持部４０７の材質は樹脂でも板金でも良い。
【００３１】
なお、図４において、第１支持部４０５を前面側フレーム４０１とは別体として描いているが、第１支持部４０５を前面側フレーム４０１と一体的に構成しても良い。その場合、第１支持部４０５は板金で構成され得る。また、図４において、第２支持部４０６、および第３支持部４０７を背面側フレーム４０２と別体として描いているが、第２支持部４０６、および第３支持部４０７の少なくとも一方を背面側フレーム４０２と一体的に構成しても良い。その場合、第２支持部４０６、第３支持部４０７のうち背面側フレーム４０２と一体的に構成される部位は板金で構成され得る。
【００３２】
前面側フレーム４０１は画像形成装置の前面側の支持枠体をなし、背面側フレーム４０２は画像形成装置の背面側の支持枠体をなす。ここで、前面側フレーム４０１はシートの搬送経路よりも画像形成装置Ａの前面側に位置し、背面側フレーム４０２はシートの搬送経路よりも画像形成装置Ａの背面側に位置する。即ち、画像形成されるシートの搬送経路は、前面側フレーム４０１と背面側フレーム４０２の間に位置する。
【００３３】
ステー４０３は、前面側フレーム４０１と背面側フレーム４０２を連結する補強部材であり、梁の機能を果たす。また、橋架部材４０４も同様に前面側フレーム４０１と背面側フレーム４０２を連結する補強部材であり、梁の機能を果たす。ステー４０３、橋架部材４０４の他にも不図示のステーが設けられており、前面側フレーム４０１、背面側フレーム４０２、ステー４０３と橋架部材４０４を含む梁構造によって画像形成装置Ａのフレームが形成されている。
【００３４】
第１支持部４０５は前面側フレーム４０１の鉛直方向上側、かつ画像形成装置Ａの幅方向において縦パスの搬送経路が形成された側に設けられている。第２支持部４０６は背面側フレーム４０２の鉛直方向上側、かつ画像形成装置Ａの幅方向において縦パスの搬送経路が形成された側に設けられている。第３支持部４０７は背面側フレーム４０２の鉛直方向上側、かつ画像形成装置Ａの幅方向において縦パスの搬送経路が形成された側に設けられている。第１支持部４０５、第２支持部４０６、第３支持部４０７は、原稿台ガラス１１８の平面方向において、後述する橋架部材４０４に設けられた支持面よりも画像読取装置２１の外側面に近い側を鉛直方向下側から支持する。
【００３５】
本実施例の画像形成装置Ａには画像形成装置Ａの幅方向において縦パスの搬送経路が形成された側とは反対側には画像読取装置２１を支持するための支持部は設けられておらず、画像形成装置Ａを正面側から視たときに、第１支持部４０５の左側は解放空間となっている。そのため、第１支持部４０５、第２支持部４０６、第３支持部４０７によって支持された画像読取装置２１とエンジン部１０との間には胴内排紙空間が形成される。そして、画像形成装置Ａの幅方向において縦パスの搬送経路が形成された側とは反対側には画像読取装置２１を支持するための支持部は設けられていないため、ユーザによる排紙空間の視認性とシートの取出し性といったユーザビリティが確保されている。
【００３６】
次に、画像読取装置２１の背面側について説明する。図５はリーダユニット２２の裏面を示す図である。リーダユニット２２は、外装壁５０１、第１ヒンジ５０２、第２ヒンジ５０３、底面５０４を備える。外装壁５０１は箱状の板金を囲む壁である。第１ヒンジ５０２および第２ヒンジは、画像形成装置Ａの背面側の背面側フレーム４０２、あるいはそれに固定された不図示の固定部材に固定されている。そのため、画像読取装置２１は、画像形成装置Ａの背面側を回動軸として、エンジン部１０に対して手前側を上下方向に移動させることができる構造となっている。
【００３７】
底面５０４は箱状の板金５０４の底面である。底面５０４には板金から形成された第１被支持部５０５が取り付けられている。また、底面５０４には絞り加工が施されている。底面５０４は、絞り加工された部分として、第２被支持部である凸部５０６、第３被支持部である凸部５０７を備える。第１被支持部５０５は第１支持部４０５に支持される被支持座面を備える。凸部５０６は第２支持部４０６に支持される被支持座面を備える。凸部５０７は第３支持部４０７に支持される被支持座面を備える。図５に示す被支持面５０８は後述する橋架部材４０４によって支持される部分である。
【００３８】
（橋架部材）
次に、図４、図６、図７、図８、および図９を用いて橋架部材４０４について詳しく説明する。
【００３９】
まず、図６を用いて橋架部材４０４の形状について説明する。図６に示すように橋架部材４０４は一方向に長い板金である。本実施例における橋架部材４０４は曲げ加工、および絞り加工が施されている。橋架部材４０４は、長手方向と厚み方向とに垂直な方向（以下、短手方向とする。）に立ち曲げ部６０７、および立ち曲げ部６０８を備える。立ち曲げ部６０７、および立ち曲げ部６０８は、橋架部材４０４の長手方向に沿って曲げられた部位である。このような立ち曲げ部６０７、６０８を設けることによって橋架部材４０４は短手方向に折れ曲がり難くなる。また、橋架部材４０４には絞り部６０９が形成されている。このような絞り加工を施すことによって橋架部材４０４は短手方向に折れ曲がり難くなる。
【００４０】
図６に示すように、橋架部材４０４は、橋架部材４０４の長手方向における複数の位置で折り曲げられて（屈曲して）いる。本実施例の橋架部材４０４は、屈曲部６１１、屈曲部６１２、屈曲部６１３、屈曲部６１４の４カ所で折り曲げられている。屈曲部６１１、屈曲部６１２、屈曲部６１３、屈曲部６１４は、橋架部材４０４の一端側（図６の左側端部）から屈曲部６１１、屈曲部６１２、屈曲部６１３、屈曲部６１４の順位配置されている。そして、屈曲部６１１と屈曲部６１４の曲げ方向が同一であり、屈曲部６１２と屈曲部６１３は、屈曲部６１１と屈曲部６１４の曲げ方向と反対側に曲げられている。
【００４１】
このように橋架部材４０４が曲げ加工されているため、図６において屈曲部６１１よりも左側に位置する第１被固定部、および屈曲部６１４よりも右側に位置する第２被固定部に対して後述する支持面６１０を画像読取装置が配置された側に突出させることができる。
【００４２】
図６において屈曲部６１１よりも左側には前面側フレーム４０１に固定される第１被固定部が設けられている。第１被固定部には、前面側フレーム４０１に設けられた不図示の開口、または切欠き部分に差し込まれる位置決め突起６０５が設けられている。また、第１被固定部には、橋架部材４０４を前面側フレーム４０１に固定するためのビスを通すためのビス穴６０１、６０２が形成されている。組立作業者は、位置決め突起６０５を前面側フレーム４０１に設けられた不図示の開口、または切欠き部分に差し込んで位置を決めた後、ビス穴６０１、６０２に不図示のビスを通して前面側フレーム４０１に橋架部材４０４の一端側を固定する。
【００４３】
図６において屈曲部６１４よりも右側には背面側フレーム４０２に固定される第２被固定部が設けられている。第２被固定部には、背面側フレーム４０２に設けられた不図示の開口、または切欠き部分に差し込まれる位置決め突起６０６が設けられている。また、第２被固定部には、橋架部材４０４を背面側フレーム４０２に固定するためのビスを通すためのビス穴６０３、６０４が形成されている。組立作業者は、位置決め突起６０６を背面側フレーム４０２に設けられた不図示の開口、または切欠き部分に差し込んで位置を決めた後、ビス穴６０３、６０４に不図示のビスを通して背面側フレーム４０２に橋架部材４０４の他端側を固定する。
【００４４】
このような組立作業によって、図４に示すように、橋架部材４０４は前面側フレーム４０１と背面側フレーム４０２に架け渡される。上述したように、橋架部材４０４は、前面側フレーム４０１と背面側フレーム４０２とを連結する一つの梁として機能するための、他のステーと共に前面側フレーム４０１と背面側フレーム４０２を含むメインの枠体構造の強度アップに寄与する。すなわち、外部から画像読取装置２１に負荷や衝撃が加わったときに、エンジン部１０の枠体構造の塑性変形を抑制することができる。また、橋架部材４０４に設けた屈曲部を角度や屈曲部間の長さ、橋架部材４０４自体の長さは、画像形成装置Ａ、および画像読取装置２１の仕様（前面側フレーム４０１と背面側フレーム４０２との距離、設計上求められる枠体の剛性など）に応じて任意に設計することが好ましい。
【００４５】
橋架部材４０４は、前面側フレーム４０１、および背面側フレーム４０２に固定された場合、支持面６１０は第１被固定部および第２被固定部よりも画像読取装置２１側に突出する。橋架部材４０４の長手方向における第１屈曲部６１１と第２屈曲部６１２の間の部分と、橋架部材４０４の長手方向における第３屈曲部６１３と第４屈曲部６１４の間の部分と、は、支持面６１０を支える脚部となる。
【００４６】
図７は、図６に示した橋架部材４０４に画像読取装置２１を支持するための支持部材７０１を取り付けた支持構造を示す図である。支持部材７０１は樹脂製の部材であり、橋架部材４０４の支持面６１０にビス固定または接着剤によって固定されている。つまり、本実施例の橋架部材４０４の支持面６１０は支持部材７０１を介して間接的に画像読取装置２１を支持する。なお、橋架部材４０４に絞り加工や曲げ加工を施して橋架部材４０４が直接画像読取装置２１を支持するよう構成しても良い。
【００４７】
支持部材７０１は、画像読取装置２１の底面５０４に接触する座面としての接触面７０２を備え、接触面７０２によって画像読取装置２１の底面５０４を支持する。支持部材７０１は、第１支持部４０５、第２支持部４０６、第３支持部４０７よりも画像読取装置２１の側壁から底面５０４の中央側（底面５０４の重心側）を支持することができる。そのため、支持部材７０１を設けることによって、これを設けない装置に比べて画像読取装置２１の底面５０４のすり鉢状の変形を抑制することができる。
【００４８】
接触面７０２には接地部材７０３が設けられており、接触面７０２に接触する画像読取装置２１の底面５０４は接地部材７０３に接触する。接地部材７０３は橋架部材４０４にも接続されている。そして、前面側フレーム４０１、および背面側フレーム４０２は不図示の構造によって接地されている。そのため、接触面７０２に接触した画像読取装置２１の底面５０４は、金属部材７０３、橋架部材４０４、前面側フレーム４０１、背面側フレーム４０２を介して接地されことになる。当該、接地機構によって画像形成装置Ａのノイズへの耐性を向上させることができる。
【００４９】
なお、橋架部材４０４の長さ、及び屈曲部の位置を任意に設計することによって画像読取装置２１に底面５０４の位置に合わせて任意に橋架部材４０４による画像読取装置２１の支持位置を形成することができる。
【００５０】
図８、および図９は橋架部材４０４のその他の活用例を示す図である。図９に示すように、背面側フレーム４０２には電気基板９０１が固定されている。電気基板９０１にはケーブルの一端が接続されており、そのケーブルの他端は操作表示部６１に接続されている。操作表示部６１から入力されたユーザからの指示（用紙設定、印刷枚数設定、倍率設定、カラー／モノクロ設定、両面／片面印刷設定、スキャン設定、ＦＡＸ送信指示）がケーブルを介して電気基板９０１に実装された不図示のコントローラに入力される。また、コントローラからケーブルを介して表示部６１ａには画像形成装置Ａの状態が表示される。
【００５１】
ケーブル８０２は、従来のケーブルの這回し経路、すなわち、エンジン部１０近傍を添わせてケーブルを這いまわす経路である。それに対して、ケーブル８０１は、橋架部材４０４に沿わせた這回し経路である。エンジン部１０からは、各種電気部品からノイズが放出されるため、エンジン部１０とケーブル２０５間の距離Ｈを広くとることがノイズ耐性を上げるためには好ましい。本実施例では、橋架部材４０４に沿わせてケーブル８０１を設けることによってエンジン部１０から放出されるノイズがケーブル８０１に作用し難くなる。ここで、ケーブル８０２とエンジン部１０の距離をＨ１、ケーブル８０１とエンジン部１０の距離をＨ２とすると、Ｈ２＞Ｈ１となり、従来のケーブル８０１の這回し経路より、ケーブル８０２の這回し経路とした方が放射ノイズに対する耐性が高いことが判る。
【００５２】
以上説明したように、本実施例の画像形成装置によれば、橋架部材４０４を設けることによって、エンジン部の枠体構造の強度を向上させ、画像読取装置２１の底面の変形を抑制することができる。
【符号の説明】
【００５３】
２１  画像読取装置
４０１  前面側フレーム
４０２  背面側フレーム
４０４  橋架部材
５０４  画像読取装置の底面
６１０  支持部
７０１  支持部材
【図１】
2020024330.tif 000003
【図２】
2020024330.tif 000004
【図３】
2020024330.tif 000005
【図４】
2020024330.tif 000006
【図５】
2020024330.tif 000007
【図６】
2020024330.tif 000008
【図７】
2020024330.tif 000009
【図８】
2020024330.tif 000010
【図９】
2020024330.tif 000011